(57)【要約】【課題】    優れた吸収性と高い消臭特性により、失禁や生理、または発汗等により生じる体臭を効率よく吸着、消臭することができるパンツを提供する。【解決手段】  消臭性を有する不織布１０が両脚開口部２間に縫着されている。また、前記両脚開口部２間に不織布収納部３が形成されている。さらに、前記不織布１０は接着剤４にて好適に取付けることが可能である。前記不織布１０を面ファスナー５にて着脱自在に取付けることも好ましい。前記不織布１０の少なくとも一面に通気性シート１１を配設すると共に、不織布１０および通気性シート１１を超音波キルト加工にて接着することが好ましい。前記不織布１０に吸水性シート１３を配設することが好ましい。前記不織布１０に防水性シート１４を配設してもよい。前記不織布１０が、木綿繊維、麻繊維またはレーヨン繊維にメタクリル酸をグラフト共重合反応させて得られた消臭繊維にて形成されていることが好ましい。【選択図】  図１
0003102571.tif 000002
【実用新案登録請求の範囲】
【請求項１】
消臭性を有する不織布が両脚開口部間に縫着されていることを特徴とするパンツ。
【請求項２】
前記両脚開口部間に不織布収納部が形成されている請求項１記載のパンツ。
【請求項３】
前記不織布が接着剤にて取付けられている請求項１記載のパンツ。
【請求項４】
前記不織布が面ファスナーにて着脱自在に取付けられている請求項１記載のパンツ。
【請求項５】
前記不織布の少なくとも一面に通気性シートを配設すると共に、不織布および通気性シートを超音波キルト加工にて接着した請求項１乃至４のうちいずれか一項記載のパンツ。
【請求項６】
前記不織布に吸水性シートが配設されている請求項１乃至５のうちいずれか一項記載のパンツ。
【請求項７】
前記不織布に防水性シートが配設されている請求項１乃至６のうちいずれか一項記載のパンツ。
【請求項８】
前記不織布が、木綿繊維、麻繊維またはレーヨン繊維にメタクリル酸をグラフト共重合反応させて得られた消臭繊維にて形成されている請求項１乃至７のうちいずれか一項記載のパンツ。
【考案の詳細な説明】
【技術分野】
【０００１】
本考案は、失禁や生理、または発汗等により生じる体臭を吸着すると共に、吸着した臭いを効率よく消臭することができるパンツに関する。
【背景技術】
【０００２】
従来、パンツ内に失禁用部材を配設して、老人や病人等の着用者の尿失禁時に尿を吸収し、消臭するようにした失禁用パンツがある（例えば、特許文献１参照）。
【特許文献１】特開平８−２８０７２６号公報（第１−２頁、図１）
【考案の開示】
【考案が解決しようとする課題】
【０００３】
上掲特許文献１の失禁用パンツは、ラミネート生地上に消臭吸水性部材、吸収性生地、ネット状生地を順次積層し、且つネット状生地の一側縁を除き、前記積層部材の周縁を撥水性テープ生地で捲回し、縫着一体化して形成してなる失禁用部材のラミネート生地側を吊下げ用生地上に適宜縫着、一体化し、同吊下げ用生地をパンツの内側で、且つ前身頃のウエスト部から後身頃のウエスト部にかけて吊下げ、保持するように構成されている。しかしながら、かかる構成の失禁用パンツは、製造工程が多くコスト高になると共に、失禁用部材が大型肉厚状を呈するため、パンツ装着時に違和感があり、歩行や日常生活に不快感を与えた。
【０００４】
そこで本考案の目的は、上記の点に鑑み、優れた吸収性と高い消臭特性により、失禁や生理、または発汗等により生じる体臭を効率よく吸着、消臭することができるパンツを提供することにある。
【課題を解決するための手段】
【０００５】
上記課題を解決するために本考案のパンツは、好ましくは、消臭性を有する不織布が両脚開口部間に縫着されていることを特徴とする。また、前記両脚開口部間に不織布収納部が形成されている。さらに、前記不織布は接着剤にて好適に取付けることが可能である。さらにまた、前記不織布を面ファスナーにて着脱自在に取付けることも好ましい。さらにまた、前記不織布の少なくとも一面に通気性シートを配設すると共に、不織布および通気性シートを超音波キルト加工にて接着することが好ましい。さらにまた、前記不織布に吸水性シートを配設することが好ましい。さらにまた、前記不織布に防水性シートを配設してもよい。さらにまた、前記不織布が、木綿繊維、麻繊維またはレーヨン繊維にメタクリル酸をグラフト共重合反応させて得られた消臭繊維にて形成されていることが好ましい。
【考案の効果】
【０００６】
消臭性を有する不織布を両脚開口部間に縫着させたことにより、失禁や生理、または発汗等により生じる体臭を不織布にて吸着すると共に、吸着した臭いを効率よく消臭することができる。また、前記両脚開口部間に不織布収納部を形成したり、面ファスナーにて着脱自在に設置したりすることで使用上の利便性が高まる。さらに、不織布の少なくとも一面に通気性シートを配設して、不織布および通気性シートを超音波キルト加工にて接着することで、点状接着で素材自体の通気性を維持することができる。また、長期使用中においても、糸切れやほつれの発生を防ぐこともできる。さらにまた、前記不織布に吸水性シートまた防水性シートを配設させたことで、余分な水分を保水し、外部への漏れを防ぐことができる。さらにまた、前記不織布を木綿繊維、麻繊維またはレーヨン繊維にメタクリル酸をグラフト共重合反応させて得られた消臭繊維にて形成することで、洗濯においても消臭効果が低減することがなく、消臭機能が回復し、繰り返しの使用が可能で経済的である。
【考案を実施するための最良の形態】
【０００７】
以下、本考案の実施の形態を図面に基づいて詳細に説明する。
図示するパンツ１は、特に失禁や生理、または発汗等により生じる体臭を吸着すると共に、吸着した臭いを効率よく消臭することができるもので、図１に示す男性用、また図２に示す女性用からなる。
【０００８】
また、パンツ１の両脚開口部２間には、消臭性を有する不織布１０が縫着されている。かかる不織布１０は、図１の（ａ）（ｂ）に示す男性用パンツＡにおいては、不織布１０が両脚開口部２間の前面から底部にかけて、また図２の（ａ）（ｂ）に示す女性用パンツＢにおいては、不織布１０が両脚開口部２間の前面から後部にかけて縫着されている。
【０００９】
不織布１０は、消臭性組成物を含有、または付着した繊維を利用して形成する他、既存の不織布に消臭性組成物を付着することにより形成される。また、特に、不織布１０には、木綿繊維、麻繊維又はレーヨン繊維に、メタクリル酸をグラフト共重合反応させたものであって、該繊維に対するメタクリル酸のグラフト化率が７〜１５重量％であることを特徴とする改質セルロース繊維を使用することが好ましい。なお、この改質セルロース繊維は、特許第３２３９１４６号公報に開示された改質セルロース繊維として公知の技術である。
【００１０】
他の好適例として、図３に示すように、不織布１０を両脚開口部２間にポケット状の不織布収納部３を形成し、かかる不織布収納部３に不織布１０を収脱自在に収容させてもよい。また、図４に示すように、不織布１０を両脚開口部２間に接着剤４を用いて設置してもよい。さらに、図５に示すように、不織布１０を、面ファスナー５を介在させて両脚開口部２間に着脱自在に設置してもよい。
【００１１】
また、他の好適例として、図６に示すように、不織布１０の少なくとも一面に通気性シート１１を配設すると共に、不織布１０および通気性シート１１を接着部１２を有する超音波キルト加工にて接着することが好ましい。
【００１２】
通気性シート１１は、加熱することにより熱溶融される化学繊維、または化学繊維と天然繊維の混紡素材からなり、特に高い通気性が得られるようにメッシュ状に形成されている。通気性シート１１としては、透湿効果および防水性を有する素材、例えば１５〜３０デニールのナイロンハーフが使用される。
【００１３】
超音波キルト加工は、素材自体を超音波振動による摩擦熱で複数層の素材を接着する加工技術であり、周知技術である。上述の超音波キルト加工を用いることで、不織布１０と通気性シート１１とが超音波振動による摩擦熱で溶着されるため、素材自体の通気性や通水性を損なうことがない。また、通常の多針キルティング縫着とは異なり、素材間に針による貫通穴がなく、また糸を使用しないため糸切れや糸のほつれもない。さらに、長期使用においても不織布１０と通気性シート１１との接着状態を確実に保持することができる。
【００１４】
さらに、他の好適例として、図７に示すように、不織布１０に吸水性シート１３を配設させることが好ましい。この場合、吸水性シート１３は不織布１０の一面または両面に、さらには、通気性シート１１を配設させた不織布１０の反対面に設けてもよい。吸水性シート１３を配設させることで、尿等の吸着量を増すことができる。
【００１５】
さらにまた、他の好適例として、図８に示すように、不織布１０に防水性シート１４を配設させることが好ましい。防水性シート１４は、体内から排出される尿等の水分が外部に漏れることを防ぐもので、不織布１０の一面に、さらには、図９に示すように、通気性シート１１や吸水性シート１３を配設させた不織布１０の反対面に設けてもよい。
【図面の簡単な説明】
【００１６】
【図１】（ａ）（ｂ）は本考案における男性用パンツの正面図および断面図である。
【図２】（ａ）（ｂ）は本考案における女性用パンツの正面図および断面図である。
【図３】両脚開口部間にポケット状の不織布収納部を形成した状態の断面図である。
【図４】両脚開口部間に不織布を貼着させた状態の断面図である。
【図５】両脚開口部間に不織布を面ファスナーにて装着させた状態の断面図である。
【図６】不織布と通気性シートを超音波キルト加工にて接着した状態の断面図である。
【図７】不織布と吸水性シートを超音波キルト加工にて接着した状態の断面図である。
【図８】不織布に防水性シートを配設させた状態の断面図である。
【図９】通気性シートや吸水性シートを配設させた不織布に防水性シートを配設させた状態の断面図である。
【符号の説明】
【００１７】
１  パンツ
２  両脚開口部
３  不織布収納部
４  接着剤
５  面ファスナー
１０  不織布
１１  通気性シート
１２  接着部
１３  吸水性シート
１４  防水性シート
Ａ  男性用パンツ
Ｂ  女性用パンツ
【図１】
0003102571.tif 000003
【図２】
0003102571.tif 000004
【図３】
0003102571.tif 000005
【図４】
0003102571.tif 000006
【図５】
0003102571.tif 000007
【図６】
0003102571.tif 000008
【図７】
0003102571.tif 000009
【図８】
0003102571.tif 000010
【図９】
0003102571.tif 000011